(57)【要約】【課題】経年変化や識別不明が発生することなく、電柱及び当該電柱に装荷されている電柱関連部材の情報を容易に書き込み且つ識別する。【解決手段】電柱１の識別情報を記憶するＲＦＩＤ３が、ＲＦＩＤ固定手段５により電柱１の外周に固定されている。予め前記ＲＦＩＤ３に電柱１やその電柱１に装荷されている電柱関連部材などの識別情報が記録される。保守管理工事が行われる際に、ＲＦＩＤ３の情報が読み書き装置で読み取られ、前記識別情報の確認が容易に行われるので、電柱１の保守管理工事における準備作業時間が大幅に短縮される。【選択図】      図１
2004350418.tif 000002
【特許請求の範囲】
【請求項１】
電柱の識別情報を記憶するＲＦＩＤが、ＲＦＩＤ固定手段により電柱の外周に固定されていることを特徴とする電柱。
【請求項２】
前記ＲＦＩＤが、外部から非接触で前記識別情報を読み書き可能であることを特徴とする請求項１記載の電柱。
【請求項３】
ＲＦＩＤ固定手段が、帯状固定具、接着剤又はネジ具であることを特徴とする請求項１又は２記載の電柱。
【請求項４】
電柱及び当該電柱に装荷される電柱の関連部材を管理するにあたって、
電柱の外周に、予め該当する電柱及び当該電柱の関連部材を識別するための識別情報を記憶せしめるＲＦＩＤをＲＦＩＤ固定手段により固定し、前記ＲＦＩＤに前記識別情報をＲＦＩＤ読み書き装置で書き込み及び読み取りを行うことによって該当する電柱及び当該電柱の関連部材を識別し管理することを特徴とする電柱の管理方法。
【請求項５】
前記ＲＦＩＤが、外部から非接触で前記識別情報を読み書き可能であることを特徴とする請求項４記載の電柱の管理方法。
【請求項６】
ＲＦＩＤ固定手段が、帯状固定具、接着剤又はネジ具であることを特徴とする請求項４又は５記載の電柱の管理方法。
【発明の詳細な説明】
【０００１】
【発明の属する技術分野】
この発明は、電柱及び当該電柱に装荷されている全てのケーブル類、クロージャを含む接続函、アンテナ、変圧器等の電柱関連部材の識別を行うことを可能とする電柱および電柱の管理方法に関する。
【０００２】
【従来の技術】
図７を参照するに、従来、電柱１０１間に架線された架空ケーブルの保守管理には、ケーブルの表面印刷や、保管されている敷設工事記録台帳、電柱１０１の識別番号、電柱１０１に表示されている幹線名等から、異常箇所の抽出や保守すべき場所を探し出して保守管理が行われている。
【０００３】
電柱１０１の識別番号や幹線名等は電柱番号札１０３に表示され、この電柱番号札１０３は例えば固定バンド１０５を使用して該当する電柱１０１に固定される方法が一般的である。なお、電柱番号札１０３には、縦長、横長の両サイズがあり、適用される場所によって使い分けられている。
【０００４】
また、電柱番号札１０３は、ＡＢＳ（Ａｃｒｙｌｏｎｉｔｒｉｌｅ−Ｂｕｔａｄｉｅｎｅ−Ｓｔｙｌｅｎｅ）樹脂、ポリカーボネート樹脂、アルミニウム等の板材からなっているが、最近は環境に配慮してリサイクルプラスチックも使用されている。電柱番号札１０３の印字方法としては、アクリル系塗料等で印字されたり、刻印機（あるいは型押機、彫刻機）を用いて刻印（型押）されている（例えば、特許文献１参照）。
【０００５】
また、上記の固定バンド１０５は、ＰＶＣ、ステンレス、ブリキ等からなっている。しかし、近年では、上記の固定バンド１０５を使用せず、電柱番号札１０３が接着剤を用いて電柱１０１に直接固着されるという「バンドレス番号札」も普及している（例えば、特許文献２及び特許文献３参照）。
【０００６】
【特許文献１】
特開２００２−２７８４６５号公報
【０００７】
【特許文献２】
特開平８−６５０２号公報
【０００８】
【特許文献３】
特開平９−１７９５０１号公報
【０００９】
【発明が解決しようとする課題】
従来、電柱１０１の保守管理工事を行う場所を特定するには、管理台帳などから住所が特定され、この住所の近辺で各電柱１０１に緊線されているケーブルを探し出す必要がある。この際にケーブルの表面印刷や電柱番号札１０３にある電柱１０１の識別番号並びに幹線表記で確認される。
【００１０】
ところが、電柱番号札１０３の表記は経時変化で読み取れなくなることもあるという問題点があった。例えば、塗料による印字方法では、年月を経た場合、経時変化のために退色して文字・数字・記号等が不鮮明になる。
【００１１】
また、電柱番号札１０３は、電柱１０１に固定できる電柱番号札１０３の面積と、地上から目視できる個々の文字等の大きさなどの制限のために、文字・数字・記号の数に制限があるので限られた情報しか得られないという問題点があった。
【００１２】
なお、電柱番号札１０３が目視できず、その確認を行うために電柱１０１に登るには作業準備や道具が必要となる。
【００１３】
したがって、上述したように確認の準備に時間がかかることや、確認場所の間違いのために余分な時間が必要となること、あるいは作業ミスによる断線の危険性も発生するという問題点があった。
【００１４】
また、刻印（あるいは型押）する方法では、刻印（型押）するための時間と費用がかかりすぎるという問題点があった。
【００１５】
この発明は上述の課題を解決するためになされたもので、その目的は、経年変化や識別不明が発生することなく、電柱およびその電柱に装荷されている全てのケーブル類、クロージャを含む接続函、アンテナ、変圧器等の電柱関連部材の多くの情報を容易に書き込み且つ識別できる電柱および電柱の管理方法を提供することにある。
【００１６】
【課題を解決するための手段】
上記目的を達成するために請求項１によるこの発明の電柱は、電柱の識別情報を記憶するＲＦＩＤが、ＲＦＩＤ固定手段により電柱の外周に固定されていることを特徴とするものである。
【００１７】
したがって、電柱にＲＦＩＤがＲＦＩＤ固定手段により固定されるので、予め前記ＲＦＩＤに電柱やその電柱に装荷されている電柱関連部材などの識別情報が記録される。保守管理工事が行われる際に、ＲＦＩＤの情報が読み書き装置で読み取られ、前記識別情報の確認が容易に行われる。
【００１８】
その結果、電柱の保守管理工事における準備作業時間が大幅に短縮される。また、該当する電柱及び当該電柱の関連部材の情報が電子化されることで、経時変化による読み取り不能となる事態が防止される。さらに、工事現場で行った作業内容はその場でＲＦＩＤに書き込むことができ、ＲＦＩＤリード／ライタ機器に残った情報を持ち帰り、ホストコンピュータに簡単に入力することが可能になり、誤記入が防止される。
【００１９】
請求項２によるこの発明の電柱は、請求項１記載の電柱において、前記ＲＦＩＤが、外部から非接触で前記識別情報を読み書き可能であることを特徴とするものである。
【００２０】
したがって、電柱の識別情報は、電柱に装着されたＲＦＩＤに容易に書き込むことができ、この書き込まれた識別情報は時間経過によって消滅することはなく、例えばＲＦＩＤ読み書き装置により外部から非接触で短時間に容易に識別される。
【００２１】
請求項３によるこの発明の電柱は、請求項１又は２記載の電柱において、ＲＦＩＤ固定手段が、帯状固定具、接着剤又はネジ具であることを特徴とするものである。
【００２２】
したがって、ＲＦＩＤは、固定バンドなどの帯状固定具、接着剤、あるいは電柱に螺着可能なネジ具などのＲＦＩＤ固定手段により容易に外れないように固定される。
【００２３】
請求項４によるこの発明の電柱の管理方法は、電柱及び当該電柱に装荷される電柱の関連部材を管理するにあたって、
電柱の外周に、予め該当する電柱及び当該電柱の関連部材を識別するための識別情報を記憶せしめるＲＦＩＤをＲＦＩＤ固定手段により固定し、前記ＲＦＩＤに前記識別情報をＲＦＩＤ読み書き装置で書き込み及び読み取りを行うことによって該当する電柱及び当該電柱の関連部材を識別し管理することを特徴とするものである。
【００２４】
したがって、電柱にＲＦＩＤがＲＦＩＤ固定手段により固定されるので、予め前記ＲＦＩＤに電柱やその電柱に装荷されている電柱関連部材などの識別情報が記録される。保守管理工事が行われる際に、ＲＦＩＤの情報が読み書き装置で読み取られ、前記識別情報の確認が容易に行われる。
【００２５】
その結果、電柱の保守管理工事における準備作業時間が大幅に短縮される。また、該当する電柱及び当該電柱の関連部材の情報が電子化されることで、経時変化による読み取り不能となる事態が防止される。さらに、工事現場で行った作業内容はその場でＲＦＩＤに書き込むことができ、ＲＦＩＤ読み書き装置に残った情報を持ち帰り、ホストコンピュータに簡単に入力することが可能になり、誤記入が防止される。
【００２６】
請求項５によるこの発明の電柱の管理方法は、請求項４記載の電柱の管理方法において、前記ＲＦＩＤが、外部から非接触で前記識別情報を読み書き可能であることを特徴とするものである。
【００２７】
したがって、電柱の識別情報は、電柱に装着されたＲＦＩＤに容易に書き込むことができ、この書き込まれた識別情報は時間経過によって消滅することはなく、例えばＲＦＩＤ読み書き装置により外部から非接触で短時間に容易に識別される。
【００２８】
請求項６によるこの発明の電柱の管理方法は、請求項４又は５記載の電柱の管理方法において、ＲＦＩＤ固定手段が、帯状固定具、接着剤又はネジ具であることを特徴とするものである。
【００２９】
したがって、ＲＦＩＤは、固定バンドなどの帯状固定具、接着剤、あるいは電柱に螺着可能なネジ具などのＲＦＩＤ固定手段により容易に外れないように固定される。
【００３０】
【発明の実施の形態】
以下、この発明の実施の形態について図面を参照して説明する。
【００３１】
図１を参照するに、この実施の形態に係る電柱１は、ＲＦＩＤ３  （Ｒａｄｉｏ  Ｆｒｅｑｕｅｎｃｙ  Ｉｄｅｎｔｉｆｉｃａｔｉｏｎ）がＲＦＩＤ固定手段としての例えば帯条体固定具である固定バンド５によって固定されている。上記のＲＦＩＤ３によって、当該ＲＦＩＤ３が固定される電柱１および当該電柱１に装荷されている全てのケーブル類、クロージャを含む接続函、アンテナ、変圧器等の電柱関連部材の識別が行われる。なお、電柱１の材質としては、コンクリート製、亜鉛メッキ鋼管、木材などがある。
【００３２】
図２を参照して、上記のＲＦＩＤ３についてより詳しく説明すると、この実施の形態では、耐候性を持たせるために樹脂製のケース７で電柱固定用にモールド成形加工されて保護されている。このケース７は、この実施の形態では矩形状板片をなす本体部９と、この本体部９の両側に設けたフランジ部１１と、電柱１の外周面にほぼ隙間なく当てられるように前記本体部９とフランジ部１１の裏面に設けた凹面部１３と、前記フランジ部１１のほぼ中央から凹面部１３に貫通したバンド挿通用の取付穴１５と、から構成されている。
【００３３】
なお、凹面部１３は電柱１の外周の曲率にあった形状とし、ＲＦＩＤ３が電柱１に装着されたときに歪みが加わらないようにしている。
【００３４】
上記のケース７の本体部９内には、同調用コンデンサと電源用コンデンサとケーブル情報を記憶したＩＣ（Ｉｎｔｅｇｒａｔｅｄ  Ｃｉｒｃｕｉｔ）チップとを収納したＩＣパッケージ１７と、このＩＣパッケージ１７に電気的に接続したアンテナコイル１９が内蔵されている。アンテナコイル１９は微小アンテナの役割を果たすもので、円板状の磁芯部材２１と、この磁芯部材２１の周囲に渦巻き状に卷回されたコイル本体としての被覆銅線２３とからなっている。
【００３５】
ＲＦＩＤ３は、図４に示されているように電磁誘導を用いたＲＦＩＤ読み書き装置としての例えばＲＦＩＤリーダ／ライタ機器２５にケーブル２７で結線されたアンテナ２９から発信される無線電波により、アンテナコイル１９を経てＩＣパッケージ１７内のＩＣチップに記憶された情報が読み出し且つ書き込み可能に構成されている。つまり、ＲＦＩＤリーダ／ライタ機器２５のアンテナ２９とＲＦＩＤ３のアンテナコイル１９との間で電磁波のやり取りが行われ、ＲＦＩＤ３を取り付けた電柱１の識別情報が読み取り可能となる。
【００３６】
なお、上記のＲＦＩＤ３の情報としては、例えば該当する電柱１の管理情報だけでなく、当該電柱１に装荷されている全てのケーブル類、クロージャを含む接続函、アンテナ、変圧器等の電柱関連部材に関する識別情報が、例えばＲＦＩＤリーダ／ライタ機器２５によって盛り込まれる。
【００３７】
図１と図３を併せて参照するに、固定バンド５は種々の形状のものがあり、図１はその一例である。この実施の形態の帯状固定具としての例えば固定バンド５は、ＰＶＣ、ステンレス、ブリキ等から成る。
【００３８】
この固定バンド５により上記のＲＦＩＤ３が電柱１に取り付けられる場合、固定バンド５の一端側がＲＦＩＤ３の２つの取付穴１５内を挿通されてから電柱１に巻き付けられ、固定バンド５の一端側と他端側が図３に示されているように連結穴３１を具えた平板状の連結金具３３と止め金具３５によって固定される。つまり、固定バンド５の一端側が連結金具３３の連結穴３１内に通して折り返され、この折り返し部分が止め金具３５によって固定されてから、前記固定バンド５の他端側が連結金具３３の連結穴３１内に通して締め付けるようにして折り返され、この折り返し部分が止め金具３５によって固定される。
【００３９】
次に、上記のＲＦＩＤ３を固定した電柱１及び当該電柱１の関連部材を管理する方法について説明する。
【００４０】
図４を参照するに、ケーブル（図示省略）が例えば電柱１を経て敷設される際に、ケーブルから分岐して各家庭に配線するためのクロージャを含む接続函、携帯電話用のアンテナ、変圧器等の電柱関連部材（図示省略）が装荷される。
【００４１】
現場における電柱１を固定したＲＦＩＤ３の識別の状態は、図４に示されているように電柱１を識別するために、ＲＦＩＤリーダ／ライタ機器２５にケーブル２７で結線されたアンテナ２９から、例えば１３４ｋＨｚの電磁波が呼び掛け信号として周囲に放射される。なお、上記の電磁波は、通常は１３５ｋＨｚ以下であるが、これに限定されない。
【００４２】
一方、識別すべき電柱１にはＲＦＩＤ３が固定されているので、ＲＦＩＤ３は上記のアンテナ２９から発信された呼び掛け信号としての１３４ｋＨｚの電磁波をエネルギー源にして電源用コンデンサに蓄積した後に、ＩＣチップに記憶された電柱１の識別情報などを含む応答信号としての電磁波を上記アンテナ２９に返送する。
【００４３】
以上のように、ＲＦＩＤ３が電柱１に固定される際に、該当する電柱１及び当該電柱１の関連部材の情報がＲＦＩＤリーダ／ライタ機器２５で前記ＲＦＩＤ３に書き込みしておくことにより、電柱１やケーブル等の電柱関連部材の保守管理が容易に行われる。
【００４４】
例えば、ＲＦＩＤ３には、電柱１の固有番号と、どんなケーブルが緊線されているか、また前記ケーブルがどの幹線や支線に使われているか、どの幹線や支線に使われているか、などの情報が記憶される。
【００４５】
したがって、電柱１及びケーブル線路の保守管理工事が行われる際に、電柱１が高いために、従来のような電柱番号札なら目視が困難な場合でも、この実施の形態の電柱１では離れた位置からＲＦＩＤリーダ／ライタ機器２５を用いて前記情報が容易に読み取られ、作業すべきケーブルがどこにあるかの確認を容易に行うことが可能となる。しかも、ＲＦＩＤ３の許容情報量が非常に多いので、電柱１以外の情報、すなわち当該電柱１に装荷されている全てのケーブル、クロージャを含む接続函、アンテナ、変圧器等の電柱関連部材の情報等も記憶させておき、それらの電柱関連部材の管理も行うことができる。
【００４６】
その結果、電柱１の保守管理工事における準備作業時間を大幅に短縮することができる。また、該当する電柱１及び当該電柱１の関連部材の情報が電子化されることで、経時変化による読み取り不能となる事態を防止することができる。
【００４７】
さらに、工事現場で行った作業内容はその場でＲＦＩＤ３に書き込むことができ、ＲＦＩＤリーダ／ライタ機器２５に残った情報を持ち帰り、ホストコンピュータに簡単に入力することが可能になり、誤記入を防止できる。
【００４８】
なお、他の実施の形態のＲＦＩＤ固定手段としては、前述した帯条体固定具の他に、接着剤、あるいはネジ具、あるいはその他の形態のものであっても構わない。
【００４９】
図５を参照するに、この実施の形態のＲＦＩＤ固定手段としての接着剤３７は、例えばコンクリート、亜鉛メッキ鋼管、木材などの電柱の材質に応じた接着剤３７が使用される。例えば、パテなどの非伝導性の接着剤３７がＲＦＩＤ３の凹面部１３に塗布されてから電柱１の外周面に接着される。好ましくは、予め電柱１の外周面にはＲＦＩＤ３を挿入するための窪み３９を設けておき、ＲＦＩＤ３が前記窪み３９に上記のパテなどの接着剤３７と共に埋め込み固定されることが、ＲＦＩＤ３が外れにくくなるという点で望ましい。
【００５０】
なお、この場合のＲＦＩＤ３は前述した実施の形態のＲＦＩＤ３のような取付穴１５が不要であるので、フランジ部１１が設けられていなくても構わない。また、上記の窪み３９のＲＦＩＤ３を取り付ける面が平面であれば、この窪み３９の取付面に合わせてＲＦＩＤ３の裏面が平面とされている必要がある。いずれにしても、ＲＦＩＤ３の裏面は電柱１の取付面に合わせて密着される面形状になっていることが、電柱１に固定されたＲＦＩＤ３に歪みが加わらないようにするために必要である。
【００５１】
図６を参照するに、この実施の形態のＲＦＩＤ固定手段としてのネジ具４１は、例えばコンクリート、亜鉛メッキ鋼管、木材などの電柱１の材質に応じて螺着可能なコンクリート用ボルト、通常のボルト、木ねじなどが該当する。図６では木材の電柱１に対してＲＦＩＤ３がネジ具用の取付穴４３に挿通して２つのネジ具４１としての例えば木ねじで螺着されているが、４つないしは６つの木ねじでより強固に固定されることが望ましい。いずれにしても、ネジ具４１は何個使用されても構わない。
【００５２】
以上のような図５及び図６の実施の形態においては、前述した図１の実施の形態の場合と同様の作用及び効果であるので、その説明は省略する。
【００５３】
なお、この発明は前述した実施の形態に限定されることなく、適宜な変更を行うことによりその他の態様で実施し得るものである。
【００５４】
なお、ＲＦＩＤ３が電柱１に固定される場所は、関係者以外が簡単に触れることができない位置として地上から２ｍ以上の高さであることが望ましい。
【００５５】
【発明の効果】
以上のごとき発明の実施の形態の説明から理解されるように、請求項１の発明によれば、電柱にＲＦＩＤをＲＦＩＤ固定手段により固定したので、予め前記ＲＦＩＤに電柱やその電柱に装荷されている電柱関連部材などの識別情報を記録できる。保守管理工事を行う際に、前記ＲＦＩＤの情報を読み書き装置で読み取り、前記識別情報を容易に確認できる。
【００５６】
その結果、電柱の保守管理工事における準備作業時間を大幅に短縮できる。また、該当する電柱及び当該電柱の関連部材の情報を電子化できることから、経時変化による読み取り不能となる事態を防止できる。さらに、工事現場で行った作業内容をその場でＲＦＩＤに書き込むことができ、ＲＦＩＤ読み書き装置に残った情報を持ち帰り、ホストコンピュータに簡単に入力することが可能になり、誤記入を防止できる。
【００５７】
請求項２の発明によれば、電柱の識別情報は、電柱に固定されたＲＦＩＤに容易に書き込むことができ、この書き込まれた識別情報は時間経過によって消滅することはなく、例えばＲＦＩＤ読み書き装置により外部から非接触で短時間に容易に識別できる。
【００５８】
請求項３の発明によれば、固定バンドなどの帯状固定具、接着剤、あるいは電柱に螺着可能なネジ具などのＲＦＩＤ固定手段によりＲＦＩＤを容易に外れないように固定できる。
【００５９】
請求項４の発明によれば、電柱にＲＦＩＤをＲＦＩＤ固定手段により固定したので、予め前記ＲＦＩＤに電柱やその電柱に装荷されている電柱関連部材などの識別情報を記録できる。保守管理工事を行う際に、前記ＲＦＩＤの情報を読み書き装置で読み取り、前記識別情報を容易に確認できる。
【００６０】
その結果、電柱の保守管理工事における準備作業時間を大幅に短縮できる。また、該当する電柱及び当該電柱の関連部材の情報を電子化できることから、経時変化による読み取り不能となる事態を防止できる。さらに、工事現場で行った作業内容をその場でＲＦＩＤに書き込むことができ、ＲＦＩＤ読み書き装置に残った情報を持ち帰り、ホストコンピュータに簡単に入力することが可能になり、誤記入を防止できる。
【００６１】
請求項５の発明によれば、電柱の識別情報は、電柱に固定されたＲＦＩＤに容易に書き込むことができ、この書き込まれた識別情報は時間経過によって消滅することはなく、例えばＲＦＩＤ読み書き装置により外部から非接触で短時間に容易に識別できる。
【００６２】
請求項６の発明によれば、固定バンドなどの帯状固定具、接着剤、あるいは電柱に螺着可能なネジ具などのＲＦＩＤ固定手段によりＲＦＩＤを容易に外れないように固定できる。
【図面の簡単な説明】
【図１】この発明の実施の形態の電柱に固定されるＲＦＩＤの斜視図である。
【図２】この発明の実施の形態で用いられるＲＦＩＤの斜視図である。
【図３】固定バンドを電柱に装着する状態を示す斜視図である。
【図４】この発明の実施の形態のＲＦＩＤを用いた電柱の管理方法の概略的な説明図である。
【図５】この発明の他の実施の形態の電柱に固定されるＲＦＩＤの斜視図である。
【図６】この発明の別の実施の形態の電柱に固定されるＲＦＩＤの斜視図である。
【図７】従来の電柱の管理方法を示す斜視図である。
【符号の説明】
１  電柱
３  ＲＦＩＤ
５  固定バンド（ＲＦＩＤ固定手段；帯条体固定具）
７  ケース
９  本体部
１１  フランジ部
１３  凹面部
１５  取付穴
２５  ＲＦＩＤリーダ／ライタ機器（ＲＦＩＤ読み書き装置）
３１  連結穴
３３  連結金具
３５  止め金具
３７  接着剤（ＲＦＩＤ固定手段）
３９  窪み
４１  ネジ具（ＲＦＩＤ固定手段）
【図１】
2004350418.tif 000003
【図２】
2004350418.tif 000004
【図３】
2004350418.tif 000005
【図４】
2004350418.tif 000006
【図５】
2004350418.tif 000007
【図６】
2004350418.tif 000008
【図７】
2004350418.tif 000009